(57)【要約】  【課題】遊技機において、複数（３個）の回転ドラムのうちの中央回転ドラムの中央回転検出手段を回転ドラムの邪魔にならないように設けて、中央回転ドラムを回転駆動することができること、回転ドラムの小径化を可能にすること、複数の回転ドラムを軸心方向に略隙間無く並設可能にすること、等である。  【解決手段】中央回転ドラムを回転駆動する回転駆動機構が、回転ドラムの軸心と同心状に配設されて中央回転ドラムに相対回転不可能に連結され且つ中央回転ドラムよりも軸心方向一端側に位置する回転ドラムを貫通する駆動軸と、３個の回転ドラムの軸心方向一端側に配設されて駆動軸の一端側部分部に駆動力を入力する電動モータとを備えている。【選択図】  図１１
2011115193.tif 000002
【特許請求の範囲】
【請求項１】
共通の軸心を中心に回転可能に且つその軸心方向に並設された少なくとも３個の回転ドラムと、この３個の回転ドラムを夫々回転駆動する回転駆動機構とを備えた遊技機において、
前記３個の回転ドラムのうち中央に位置する中央回転ドラムを回転駆動する中央回転駆動機構が、
前記軸心と同心状に配設されて中央回転ドラムに相対回転不可能に連結され且つ中央回転ドラムよりも軸心方向一端側に位置する回転ドラムを貫通する駆動軸と、
前記３個の回転ドラムの軸心方向一端側に配設されて駆動軸の一端側部分部に駆動力を入力する電動モータと、
を備えたことを特徴とする遊技機。
【請求項２】
前記駆動軸が全部の回転ドラムを貫通していることを特徴とする請求項２に記載の遊技機。
【請求項３】
前記中央回転ドラムの原点位置を検出する中央原点検出手段が、３個の回転ドラムの軸心方向他端側に配設されたことを特徴とする請求項２に記載の遊技機。
【請求項４】
前記中央回転駆動機構は、駆動軸を軸心直交方向に貫通する連結ピンと、この連結ピンが係合するように中央回転ドラムに形成されたピン係合部とを有することを特徴とする請求項１〜３の何れか１項に記載の遊技機。
【請求項５】
前記ピン係合部は、連結ピンが軸心方向と平行方向から係合するように、中央回転ドラムの環状端壁に形成された細長い凹溝からなることを特徴とする請求項４に記載の遊技機。
【請求項６】
前記中央回転ドラムが、その軸心方向両側の回転ドラムに近接していることを特徴とする請求項１〜５の何れか１項に記載の遊技機。
【請求項７】
前記各回転ドラムは、その直径よりも長い軸心方向長さを有することを特徴とする請求項１〜６の何れか１項に記載の遊技機。
【請求項８】
前記３個の回転ドラムのうち中央回転ドラム以外の２個の回転ドラムを夫々回転駆動する回転駆動機構が、その回転ドラムのうち中央回転ドラムと反対側端部に取付けられたギヤ部材を有し、
前記２個の回転ドラムの原点位置を夫々検出する原点検出手段が、前記ギヤ部材に一体的に設けられた被検出部を有することを特徴とする請求項１〜７の何れか１項に記載の遊技機。
【請求項９】
共通の軸心を中心に回転可能に且つその軸心方向に並設された１対の回転ドラムと、この１対の回転ドラムを夫々回転駆動する回転駆動機構とを備えた遊技機において、
前記１対の回転ドラムの一方の回転ドラムを回転駆動する回転駆動機構が、
前記軸心と同心状に配設されて一方の回転ドラムに相対回転不可能に連結され且つ他方の回転ドラムを貫通する駆動軸と、
前記駆動軸のうち他方の回転ドラムに対して一方の回転ドラムと反対側部分から駆動軸に駆動力を入力する電動モータと、
を備えたことを特徴とする遊技機。
【発明の詳細な説明】
【技術分野】
【０００１】
本発明は遊技機に関し、特に、共通の軸心を中心に回転可能に且つその軸心方向に並設された複数（３個）の回転ドラムのうちの中央回転ドラムを回転駆動する中央回転駆動機構に関するものである。
【背景技術】
【０００２】
従来、パチンコ遊技機において、遊技球が始動入賞口に入賞した場合に大当り抽選が行われ、その抽選結果に応じた遊技演出が複数の回転ドラムを用いて実行される機種が公知である。また、スロットマシンにおいては、規定数のメダルが投入された状態でスタートレバーが操作された場合に大当り抽選が行われ、その抽選結果が複数の回転ドラムの回転停止時の図柄の組合せで表示される。
【０００３】
この種の遊技機では、一般に、３個の回転ドラムが、左右に向く共通の軸心を中心に回転可能に且つその軸心方向（左右方向）に並設され、夫々、ベース部材に回転自在に支持され３個の電動モータ（ステッピングモータ）により回転駆動される。この３個の回転ドラムの動作（３個の電動モータ）を制御するために、３個の回転ドラムの原点位置が夫々３個の原点検出センサにより検出される（例えば、特許文献１参照）。
【０００４】
特許文献１の遊技機では、各回転ドラムのドラム周壁の内側に電話モータと原点検出センサが配設されている。この電話モータと原点検出センサは鉛直支板に取付けられ、電話モータの出力軸に回転ドラムの中心部が直結されている。原点検出センサは、発光部と受光部とを有する光学センサからなり、回転ドラムのドラム周壁から内側へ突出する被検出片を介して回転ドラムの原点位置を検出する。
【０００５】
一方、特許文献２の遊技機では、内側回転ドラムと外側回転ドラムが、上下に向く共通の軸心を中心に回転可能に内外に配置されて２重回転ドラムを構成している。内側回転ドラムの中心軸が外側回転ドラムの中心軸を貫通し、内側回転ドラムと外側回転ドラムの両中心軸が、夫々、図示略のベアリングを介して支持されている。外側回転ドラムの下端側の中心軸に回転駆動用のプーリが取付けられ、外側回転ドラムのドラム周壁外面部に原点検出用の被検出部が設けられている。内側回転ドラムの下端側の中心軸に回転駆動用のプーリと原点検出用の被検出部が取付けられている。
【先行技術文献】
【特許文献】
【０００６】
【特許文献１】特開平７−５１４４６号公報
【特許文献２】特開２００６−２８８７３７号公報
【発明の概要】
【発明が解決しようとする課題】
【０００７】
従来、共通の軸心を中心に回転可能に且つその軸心方向に並設された複数（３個）の回転ドラムを備えた遊技機では、通常、特許文献１のように、複数の回転ドラムの原点位置を夫々検出するために、各回転ドラムのドラム周壁の内側に原点検出センサと被検出部とを有する原点検出手段が配設される他、複数の回転ドラムを夫々回転駆動するために、各回転ドラムのドラム周壁の内側に電動モータが配設されている。
【０００８】
このように、ドラム周壁の内側に電動モータ（更に、原点検出手段）が配設されているため、回転ドラムを小径化するのに限界がある。そこで、ドラム周壁の内側以外の位置に電動モータを有する回転駆動機構を配設して、回転ドラムを小径化することが考えられるが、複数（３個）の回転ドラムのうちの中央回転ドラムを回転駆動する中央回転駆動機構の少なくとも一部が、中央回転ドラムとそれに隣接する回転ドラムとの間に配設されることになると、複数の回転ドラムを軸心方向に略隙間無く並設することが困難になる。
【０００９】
一方、特許文献２の遊技機では、内側回転ドラムの中心軸が外側回転ドラムの中心軸を貫通し、内側回転ドラムと外側回転ドラムの下端側の中心軸に回転駆動用のプーリが取付けられているが、この２重回転ドラム（内側回転ドラムと外側回転ドラム）は共通の軸心方向に並設されたものでない。ここで、仮に３組の２重回転ドラムを共通の軸心を中心に回転可能に且つその軸心方向に並設した場合、特許文献１における前記同様の理由により、３組の２重回転ドラムを軸心方向に略隙間無く並設することが困難である。
【００１０】
本発明の目的は、遊技機において、複数（３個）の回転ドラムのうちの中央回転ドラムの中央回転駆動機構を回転ドラムの邪魔にならないように設けて、中央回転ドラムを回転駆動することができること、回転ドラムの小径化を可能にすること、複数の回転ドラムを軸心方向に略隙間無く並設可能にすること、等である。
【課題を解決するための手段】
【００１１】
請求項１の発明は、共通の軸心(a) を中心に回転可能に且つその軸心方向に並設された少なくとも３個の回転ドラム(41A,41B,41C) と、この３個の回転ドラム(41A,41B,41C) を夫々回転駆動する回転駆動機構(43A,43B,43C) とを備えた遊技機(1) において、前記３個の回転ドラム(41A,41B,41C) のうち中央に位置する中央回転ドラム(41C) を回転駆動する中央回転駆動機構(43C) が、前記軸心(a) と同心状に配設されて中央回転ドラム(41C) に相対回転不可能に連結され且つ中央回転ドラム(41C) よりも軸心方向一端側に位置する回転ドラム(41A) を貫通する駆動軸(120) と、前記３個の回転ドラム(41A,41B,41C) の軸心方向一端側に配設されて駆動軸(120) の一端側部分部に駆動力を入力する電動モータ(123) とを備えたことを特徴とする。
【００１２】
請求項２の発明は、請求項１の発明において、前記駆動軸(120) が全部の回転ドラム(41A,41B,41C) を貫通していることを特徴とする。
【００１３】
請求項３の発明は、請求項２の発明において、前記中央回転ドラム(41C) の原点位置を検出する中央原点検出手段(44C) が、３個の回転ドラム(41A,41B,41C) の軸心方向他端側に配設されたことを特徴とする。
【００１４】
請求項４の発明は、請求項１〜３の何れか１項の発明において、前記中央回転駆動機構(43C) は、駆動軸(120) を軸心直交方向に貫通する連結ピン(124) と、この連結ピン(124) が係合するように中央回転ドラム(41C) に形成されたピン係合部(75b) とを有することを特徴とする。
【００１５】
請求項５の発明は、請求項４の発明において、前記ピン係合部(75b) は、連結ピン(124) が軸心方向と平行方向から係合するように、中央回転ドラム(41C) の環状端壁(75)に形成された細長い凹溝(75b) からなることを特徴とする。
【００１６】
請求項６の発明は、請求項１〜５の何れか１項の発明において、前記中央回転ドラム(41C) が、その軸心方向両側の回転ドラム(41B,41B) に近接していることを特徴とする。
【００１７】
請求項７の発明は、請求項１〜６の何れか１項の発明において、前記各回転ドラム(41A,41B,41C) は、その直径よりも長い軸心方向長さを有することを特徴とする。
【００１８】
請求項８の発明は、請求項１〜７の何れか１項の発明において、前記３個の回転ドラム(41A,41B,41C) のうち中央回転ドラム(41C) 以外の２個の回転ドラム(41A,41B) を夫々回転駆動する回転駆動機構(43A,43B) が、その回転ドラム(41A,41B) のうち中央回転ドラム(41C) と反対側端部に取付けられたギヤ部材(100,110) を有し、前記２個の回転ドラム(41A,41B) の原点位置を夫々検出する原点検出手段(44A,44B) が、前記ギヤ部材(100,110) に一体的に設けられた被検出部(130,140) を有することを特徴とする。
【００１９】
請求項９発明は、共通の軸心(a) を中心に回転可能に且つその軸心方向に並設された１対の回転ドラム(41A,41C) と、この１対の回転ドラム(41A,41C) を夫々回転駆動する回転駆動機構(43A,43C) とを備えた遊技機(1) において、前記１対の回転ドラム(41A,41C) の一方の回転ドラム(41C) を回転駆動する回転駆動機構(43C) が、前記軸心(a) と同心状に配設されて一方の回転ドラム(41C) に相対回転不可能に連結され且つ他方の回転ドラム(41A) を貫通する駆動軸(120) と、前記駆動軸(120) のうち他方の回転ドラム(41A) に対して一方の回転ドラム(41C) と反対側部分から駆動軸(120) に駆動力を入力する電動モータ(123) とを備えたことを特徴とする。
【発明の効果】
【００２０】
本発明の遊技機によれば、共通の軸心を中心に回転可能に且つその軸心方向に並設された少なくとも３個の回転ドラムを備え、この３個の回転ドラムのうち中央に位置する中央回転ドラムを回転駆動する中央回転駆動機構が、前記軸心と同心状に配設されて中央回転ドラムに相対回転不可能に連結され且つ中央回転ドラムよりも軸心方向一端側に位置する回転ドラムを貫通する駆動軸と、３個の回転ドラムの軸心方向一端側に配設されて駆動軸の一端側部分部に駆動力を入力する電動モータとを備えたので、中央回転駆動機構を回転ドラムの邪魔にならないように設けて、中央回転ドラムを回転駆動することができ、回転ドラムの小径化が可能になり、３個の回転ドラムを軸心方向に略隙間無く並設可能になる。
【図面の簡単な説明】
【００２１】
【図１】パチンコ遊技機の正面図である。
【図２】遊技盤とセンタ役物の正面図である。
【図３】センタ役物の正面図である。
【図４】パチンコ遊技機の制御系のブロック図である。
【図５】遊技盤とドラム装置の正面図である。
【図６】遊技盤とドラム装置の背面図である。
【図７】ドラム装置の正面図である。
【図８】ドラム装置の背面図である。
【図９】ドラム装置の斜視図である。
【図１０】ドラム装置のドラムカバーを分解した状態の斜視図である。
【図１１】図１０のドラム装置のドラムカバーを取除いた状態の正面図である。
【図１２】図１１のドラム装置のドラムユニットを分解した状態の斜視図である。
【図１３】図１２のドラム装置のドラムユニットを取除いた状態の正面図である。
【図１４】図１３のドラム装置の回転駆動機構等を取除いた状態の正面図である。
【図１５】ドラムユニットの正面図である。
【図１６】ドラムユニットの３個の回転ドラムを分解した状態の斜視図である。
【図１７】図１６のドラムユニットの３個の回転ドラムを取除いた状態の正面図である。
【図１８】ドラムユニットの左部の前側からの斜視図である。
【図１９】ドラムユニットの左部の後側からの斜視図である。
【図２０】ドラムユニットの右部及び中央部の前側からの斜視図である。
【図２１】ドラムユニットの右部及び中央部の後側からの斜視図である。
【図２２】左回転ドラムの前側からの斜視図である。
【図２３】左回転ドラムの前側からの分解斜視図である。
【図２４】左回転ドラムの後側からの斜視図である。
【図２５】左回転ドラムの後側からの分解斜視図である。
【図２６】右回転ドラムの前側からの斜視図である。
【図２７】右回転ドラムの前側からの分解斜視図である。
【図２８】右回転ドラムの後側からの斜視図である。
【図２９】右回転ドラムの後側からの分解斜視図である。
【図３０】中央回転ドラムの前側からの斜視図である。
【図３１】中央回転ドラムの前側からの分解斜視図である。
【図３２】中央回転ドラムの後側からの斜視図である。
【図３３】中央回転ドラムの後側からの分解斜視図である。
【図３４】原点検出センサとセンサ取付部材の前側からの斜視図である。
【図３５】原点検出センサとセンサ取付部材の前側からの分解斜視図である。
【図３６】原点検出センサとセンサ取付部材の後側からの斜視図である。
【図３７】原点検出センサとセンサ取付部材の後側からの分解斜視図である。
【図３８】センサ取付部材の正面図である。
【発明を実施するための形態】
【００２２】
本発明は、パチンコ遊技機に装備された演出装置であるドラム装置に適用されている。以下、発明を実施するための形態について実施例に基づいて説明する。
【００２３】
図１、図２に示すように、パチンコ遊技機１には、遊技ホールに取付けられる外枠に開閉枠２が開閉自在に装着され、開閉枠２に開閉扉３が開閉自在に装着されている。開閉枠２に遊技盤４が装着され、その遊技盤４の前面側に遊技領域４ａが形成されている。開閉扉３に窓３ａが形成され、その窓３ａに透明板３ｂが装着され、その透明板３ｂにより遊技領域４ａの前側が覆われている。
【００２４】
開閉扉３には、窓３ａの下側に遊技球を貯留する貯留皿５が設けられ、その貯留皿５に演出ボタン装置６が装着されている。また、開閉扉３には、貯留皿５の右下側に発射ハンドル７が装着され、その発射ハンドル７が回動操作されると、貯留皿５から発射位置に導入された遊技球が発射され、貯留皿５に複数の遊技球が存在する場合には、複数の遊技球が約０．６秒間隔で連続発射される。発射された遊技球はガイドレール８で案内され遊技領域４ａの上部に投入される。
【００２５】
図２〜図４に示すように、遊技盤４には、多数の障害釘（図示略）の他、第１始動口１０、第２始動口装置１１、ゲート１２、大入賞口装置１３、複数の一般入賞口１４、センタ役物１５、画像表示器１６、ドラム装置１７、遊技表示盤１９が図２に示す配置で装着され、遊技盤４の裏面側に制御装置２０が装着されている。
【００２６】
第１始動口１０には入賞した遊技球を検出する第１始動口スイッチ１０ａが付設され、ゲート１２には通過した遊技球を検出するゲートＳＷ１２ａが付設され、各一般入賞口１４には入賞した遊技球を検出する一般入賞口スイッチ１４ａが付設されている。尚、「ＳＷ」はスイッチを意味する。
【００２７】
第２始動口装置１１は、第２始動口１１ａ、第２始動口１１ａを開閉する開閉部材１１ｂ、第２始動口１１ａに入賞した遊技球を検出する第２始動口ＳＷ１１ｃ、開閉部材１１ｂを開閉駆動する第２始動口ＳＯＬ１１ｄを有する。尚、「ＳＯＬ」はソレノイドアクチュエータを意味する。開閉部材１１ｂは、閉位置で第２始動口１１ａへの遊技球の入賞を不可能にし、開位置で第２始動口１１ａへの遊技球の入賞を可能にする。
【００２８】
大入賞口装置１３は、大入賞口１３ａ、大入賞口１３ａを開閉する開閉部材１３ｂ、大入賞口１３ａに入賞した遊技球を検出する大入賞口ＳＷ１３ｃ、開閉部材１３ｂを開閉駆動する大入賞口ＳＯＬ１３ｄを有する。開閉部材１３ｂは、閉位置で大入賞口１３ａへの遊技球の入賞を不可能にし、開位置で大入賞口１３ａへの遊技球の入賞を可能にする。
【００２９】
センタ役物１５は、遊技盤４の前面よりも前方へ張出す枠部材であって、遊技盤４の上部から中央部分に亙って遊技領域４ａの半分以上を占めるサイズで設けられたセンタ役物本体１５ａと、センタ役物本体１５ａの後側に設けられたセンタ役物ベース枠１５ｂとを有し、このセンタ役物１５に画像表示器１６とドラム装置１７が装着されている。センタ役物本体１５ａの下端部には、遊技球が転動可能なステージ１５ｃが設けられている。
【００３０】
遊技盤４にはセンタ取付穴４ｂ（図５、図６参照）が形成され、このセンタ取付穴４ｂにセンタ役物本体１５ａが嵌合され、遊技盤４の後面部にセンタ役物ベース枠１５ｂが取付けられている。画像表示器１６は、その画面がセンタ役物本体１５ａの内側領域の大部分に臨むように、センタ役物ベース枠１５ｂに後側から装着されている。
【００３１】
ドラム装置１７は、その３個の可動役物である回転ドラム４１Ａ，４１Ｂ，４１Ｃが、遊技盤４及びセンタ役物本体１５ａよりも後方に位置して、センタ役物本体１５ａの内側領域の下部と、画像表示器１６の画面と遊技球が移動可能な遊技領域４ａとに臨むように、センタ役物ベース枠１５ｂの下端部分に前側から装着されている。
【００３２】
遊技表示盤１９は、第１特別図柄表示器１９ａ、第２特別図柄表示器１９ｂ、普通図柄表示器１９ｃ、第１特別図柄保留ランプ１９ｄ、第２特別図柄保留ランプ１９ｅ、普通図柄保留ランプ１９ｆを備えている。
【００３３】
第１特別図柄表示器１９ａには、第１始動口１０への遊技球の入賞に基づいて第１特別図柄が図柄変動後に停止表示され、第２特別図柄表示器１９ｂには、第２始動口１１ａへの遊技球の入賞に基づいて第２特別図柄が図柄変動後に停止表示される。第１又は第２特別図柄表示器１９ａ又は１９ｂに大当り図柄が停止表示された場合、大当り遊技状態が発生して、大入賞口装置１３が、開閉部材１３ｂを開閉動作させ、通常は閉塞の大入賞口１３ａを複数ラウンドに亙って開閉させる。
【００３４】
普通図柄表示器１９ｃには、ゲート１２への遊技球の入賞（通過）に基づいて普通図柄が図柄変動後に停止表示される。普通図柄表示器１９ｃに当り図柄が停止表示された場合、補助遊技が発生して、第２始動口装置１１が、開閉部材１１ｂを開閉動作させ、通常は閉塞の第２始動口１１ａを１又は複数回開閉させる。
【００３５】
第１特別図柄保留ランプ１９ｄには、第１始動口１０に入賞した遊技球の所謂第１特図保留数が最大で４個表示され、第２特別図柄保留ランプ１９ｅには、第２始動口１１ａに入賞した遊技球の所謂第２特図保留数が最大で４個表示され、普通図柄保留ランプ１９ｆには、ゲート１２に入賞した遊技球の所謂普図保留数が最大で４個表示される。
【００３６】
発射ハンドル７を回動操作することで、遊技領域４ａの上部に発射投入された遊技球は、複数の障害釘に当たって方向を変えながら落下して、入賞口１０，１１ａ，１３ａ，１４の何れかに入賞した場合、そこから遊技領域４ａ外へ排出され、入賞口１０，１１ａ，１３ａ，１４の何れにも入賞しなかった場合には、最終的に、遊技領域４ａの下端部に形成されたアウト口９から遊技領域４ａ外へ排出される。
【００３７】
パチンコ遊技機１の制御系について説明する。
図４に示すように、制御装置２０は、メイン制御装置２１とサブ制御装置２５とで構成されている。メイン制御装置２１は、遊技制御基板２２にＣＰＵとＲＯＭとＲＡＭを備えて構成されている。遊技制御基板２２は盤用外部情報端子基板２３に接続されている。
【００３８】
サブ制御装置２５は、払出制御基板２６、演出制御基板２７、画像制御基板２８、ランプ制御基板２９に夫々ＣＰＵとＲＯＭとＲＡＭを備えて構成され、演出制御基板２７には更にＲＴＣを備えて構成されている。払出制御基板２６は枠用外部情報端子基板２４に接続されている。尚、「ＲＴＣ」はリアルタイムクロックを意味する。
【００３９】
遊技制御基板２２は、第１，第２始動口ＳＷ１０ａ，１１ｃ、ゲートＳＷ１２ａ、大入賞口ＳＷ１３ｃ、一般入賞口ＳＷ１４ａからの球検出信号と、払出制御基板２６からの制御情報を受けて、第２始動口ＳＯＬ１１ｄ、大入賞口ＳＯＬ１３ｄ、図柄表示器１９ａ〜１９ｃ、図柄保留ランプ１９ｄ〜１９ｆを制御し、払出制御基板２６と演出制御基板２７と盤用外部情報端子基板２３に制御情報（遊技情報）を出力する。
【００４０】
払出制御基板２６は、遊技制御基板２２からの制御情報と、払出球検出ＳＷ３１、球有り検出ＳＷ３２、満タン検出ＳＷ３３からの球検出信号を受けて、払出駆動モータ３０を制御し、入賞口１０，１１ａ，１３ａ，１４への遊技球の入賞１個について、入賞口１０，１１ａ，１３ａ，１４毎に設定された数の遊技球を貯留皿５に払出し、遊技制御基板２２と枠用外部情報端子基板２４に制御情報（払出情報）を出力する。
【００４１】
演出制御基板２７は、遊技制御基板２２からの制御情報と、演出ボタン装置６からのボタン操作信号を受けて、画像制御基板２８に制御情報を出力し、更に、画像制御基板２８からの制御情報を受けて、ランプ制御基板２９に制御情報を出力する。画像制御基板２８は、演出制御基板２７からの制御情報を受けて、画像表示器１６とスピーカ３４とを制御し、演出制御基板２７に制御情報を出力する。ランプ制御基板２９は、演出制御基板２７からの制御情報を受けて、主に画像制御基板２８による制御に同期させて、枠ランプ３５と盤ランプ３６とを制御し、更に、ドラム装置１７を制御する。
【００４２】
ドラム装置１７について詳しく説明する。
図２、図３、図５〜図１７に示すように、ドラム装置１７は、ドラムケース４０と、左右に向く共通の軸心ａを中心に回転可能に且つその軸心方向（左右方向）に直列状に並設された３個の回転ドラム４１Ａ，４１Ｂ，４１Ｃと、３個の回転ドラム４１Ａ，４１Ｂ，４１Ｃを夫々ドラムケース４０のベース部材４５に回転自在に支持する回転支持機構４２と、３個の回転ドラム４１Ａ，４１Ｂ，４１Ｃを夫々回転駆動する３組の回転駆動機構４３Ａ，４３Ｂ，４３Ｃと、３個の回転ドラム４１Ａ，４１Ｂ，４１Ｃの原点位置を夫々検出する３組の原点検出手段４４Ａ，４４Ｂ，４４Ｃとを備えている。
【００４３】
尚、回転ドラム４１Ａ、回転駆動機構４３Ａ、原点検出手段４４Ａを、適宜、左回転ドラム４１Ａ、左回転駆動機構４３Ａ、左原点検出手段４４Ａという。また、回転ドラム４１Ｂ、回転駆動機構４３Ｂ、原点検出手段４４Ｂを、適宜、右回転ドラム４１Ｂ、右回転駆動機構４３Ｂ、右原点検出手段４４Ｂという。また、回転ドラム４１Ｃ、回転駆動機構４３Ｃ、原点検出手段４４Ｃを、適宜、中央回転ドラム４１Ｃ、中央回転駆動機構４３Ｃ、中央原点検出手段４４Ｃという。
【００４４】
図７〜図１４に示すように、ドラムケース４０は、左右方向に長い矩形の透明な合成樹脂製ケースからなり、ベース部材４５と、このベース部材４５にその前側を覆うように取付けられたドラムカバー４６とを有する。このドラムケース４０に、回転ドラム４１Ａ，４１Ｂ，４１、回転支持機構４２、回転駆動機構４３Ａ，４３Ｂ，４３Ｃ、原点検出手段４４Ａ，４４Ｂ，４４Ｃが収容された状態で装着されている。
【００４５】
ドラムカバー４６は、３個の回転ドラム４１Ａ，４１Ｂ，４１Ｃのドラム周壁５０，６０，７０の上面部から前面部に沿う形状の部分円筒カバー部４６ａを有し、この部分円筒カバー部４６ａは、センタ役物本体１５ａのステージ１５ｃの上側に前方へ張出すように配置されている。この部分円筒カバー部４６ａによって、遊技領域４ａに臨むドラム周壁５０，６０，７０に遊技球が当らないように、ドラム周壁５０，６０，７０がガードされた状態で表示される。
【００４６】
回転ドラム４１Ａ，４１Ｂ，４１Ｃについて説明する。
図１０〜図１２、図１５、図１６、図１８〜図２１に示すように、３個の回転ドラム４１Ａ，４１Ｂ，４１Ｃは、基本的に同形同サイズに形成され、左右方向に略隙間無く（僅かな隙間だけ空けて）並設され、即ち、中央回転ドラム４１Ｃが左回転ドラム４１Ａと右回転ドラム４１Ｂに近接している。３個の回転ドラム４１Ａ，４１Ｂ，４１Ｃは、遊技盤４の左右長の約１／２の全長を有し、その全長の約１／６の直径を有し、全体的に左右方向に長細いものになっている。
【００４７】
次に、左回転ドラム４１Ａ、右回転ドラム４１Ｂ、中央回転ドラム４１Ｃの順に説明する。但し、右回転ドラム４１Ｂと中央回転ドラム４１Ｃにおいて、左回転ドラム４１Ａと基本的に同じ構成については、適宜、説明を省略、或いは、簡単に説明する。
【００４８】
図１８、図１９、図２２〜図２５等に示すように、左回転ドラム４１Ａは、その直径よりも長い左右長（例えば、直径の約２倍の左右長さ）を有する。左回転ドラム４１Ａは、図柄が形成された合成樹脂製のドラム周壁５０と、ドラム周壁５０の左右両端部に結合された１対の合成樹脂製の環状端壁５５，５６（左環状端壁５５と右環状端壁５６）とを有する。ドラム周壁５０の左右両端部に１対の取付凹部５０ａ，５０ｂ（左取付凹部５０ａと右取付凹部５０ｂ）が形成され、この１対の取付凹部５０ａ，５０ｂに１対の環状端壁５５，５６が嵌合した状態で結合されている。
【００４９】
ドラム周壁５０は、軸心ａを中心に周方向に１２０度間隔で分割された３個の分割周壁５１，５２，５３を有し、この３個の分割周壁５１，５２，５３が互いに結合されて断面おむすび形状に形成されている。各分割周壁５１，５２，５３は、左回転ドラム４１Ａの直径を有する円よりも曲率が小さな部分円筒状に形成され、外側凸の湾曲外面となる部分円筒面５０ｃを有する。
【００５０】
つまり、ドラム周壁５０は、３個の分割周壁５１，５２，５３の境界部となる左右方向に延びる３本の稜線５０ｄと、この３本の稜線５０ｄ間に夫々位置する３個の部分円筒面５０ｃを有する。ドラム周壁５０の稜線５０ｄの部分が最大直径となり、この最大直径を有する円の曲率よりも各分割周壁５１，５２，５３の部分円筒面５０ｃの曲率は小さい。
【００５１】
各分割周壁５１，５２，５３は光透過性を有し、各分割周壁５１，５２，５３の外面部には凹凸の有る図柄が一体形成され、各分割周壁５１，５２，５３の内面部にはシート状レンズが一体的に設けられている。左回転ドラム４１Ａの内側に複数のＬＥＤ５７（図１６、図１７参照）が設けられ、このＬＥＤ５７の光が、左回転ドラム４１Ａの前側に位置する分割周壁５１，５２，５３のシート状レンズで拡散され、その分割周壁５１，５２，５３を透過して電飾する。
【００５２】
各分割周壁５１，５２，５３には、その左右両端付近から軸心ａ側へ張出す左右１対の内鍔部５１ａ，５２ａ，５３ａが形成され、３個の分割周壁５１ａ，５２ａ，５３ａのうち隣合う２個の分割周壁５１，５２／５２，５３／５３，５１の内鍔部５１ａ，５２ａ／５２ａ，５３ａ／５３ａ，５１ａの周方向両端部同士が左右方向に重ねられた状態になり、ドラム周壁５０の左右両端部に１対のおむすび形状の取付凹部５０ａが形成されている。ドラム周壁５０の各取付凹部５０ａには、各内鍔部５１ａ，５２ａ，５３ａの周方向両端部に３つのビス穴５０ｅが形成されるとともに、内鍔部５１ａ，５２ａ，５３ａに複数の位置決め穴５０ｆが形成されている。
【００５３】
各分割周壁５１，５２，５３は、凹凸の有る図柄と共に射出成形により一体成形され、その際、成形金型のキャビィティ内にシート状レンズを予めセットしておいて、各分割周壁５１，５２，５３の内面部にシート状レンズを一体化させるインモールド成形により形成されている。
【００５４】
各環状端壁５５，５６は取付凹部５０ａ，５０ｂと同径同サイズのおにぎり形状に形成され、その内周部が比較的大きな円形孔部５５ａ，５６ａに形成されリング状になっている。更に、左環状端壁５５には、その内周近傍部から左方へ突出する連結筒部５５ｂが一体形成されている。各環状端壁５５，５６には、３つのビス穴５５ｃ，５６ｂが形成されるとともに、取付凹部５０ａ，５０ｂの複数の位置決め穴５０ｆに係合可能な複数の位置決めピン５５ｄ，５６ｃが一体形成されている。３つのビス穴５５ｃ，５６ｂは、環状端壁５５，５６の頂点近傍部に形成されている。
【００５５】
１対の環状端壁５５，５６が１対の取付凹部５０ａ，５０ｂに嵌合し、ここで、各環状端壁５５，５６の複数の位置決めピン５５ｄ，５６ｃが各取付凹部５０ａ，５０ｂの複数の位置決め穴５０ｆに係合して位置決めされ、３個の分割周壁５１，５２，５３のうち隣合う２つの分割周壁５１，５２／５２，５３／５３，５１の内鍔部５１ａ，５２ａ／５２ａ，５３ａ／５３ａ，５１ａと環状端壁５５，５６が左右方向へ重ねられた状態で、各取付凹部５０ａ，５０ｂの３つのビス穴５０ｅと各環状端壁５５，５６の３つのビス穴５５ｃ，５６ｂが一致し、それらビス穴からビス５９で締結されて、１対の環状端壁５５，５６が１対の取付凹部５０ａ，５０ｂに嵌合した状態で結合されている。
【００５６】
さて、３個の分割周壁５１，５２，５３及び１対の環状端壁５５，５６は、周方向と軸心方向に正規の位置関係となる場合にだけ組立てできるように構成されている。そのために、３個の分割周壁５１，５２，５３は、正規の位置関係とならない状態で組立て不可能に構成され、また、３個の分割周壁５１，５２，５３が正規の位置関係となるように組立てられた状態で、１対の環状端壁５５，５６のうちの一方の基準環状端壁となる左環状端壁５５が、３個の分割周壁５１，５２，５３に対して正規の位置関係とならない状態で左取付凹部５０ａに嵌合不可能に構成されている。
【００５７】
３個の分割周壁５１，５２，５３が正規の位置関係とならない状態で組立て不可能にするために、図示省略するが、３個の分割周壁５１，５２，５３のうちの１個の分割周壁５１の周方向一端部の内面部には、周方向外側へも少し突出する突出部が形成されている。一方、この分割周壁５１の突出部に隣接する分割周壁５２の周方向一端部の内面部には、前記突出部が退避可能な１対の突出部退避凹部が形成されている。故に、この２個の分割周壁５１，５２は、それらの対向端部同士を当接させた状態で組立て可能になり、残り１個の分割周壁５２も、その周方向両端部を前記２個の分割周壁５１，５２の対向端部に当接させた状態で組立て可能になる。
【００５８】
しかし、前記突出部を有する分割周壁５１の突出部側の周方向一端部に、突出部退避凹部の無い分割周壁５３の周方向一端部を当接させるように、この２個の分割周壁５１，５２を組立てようとしても、前記突出部が組立て相手側の分割周壁５２に干渉して、この２個の分割周壁５１，５２は、それらの対向端部同士を当接させた状態で組立てることができなくなる。つまり、３個の分割周壁５１，５２，５３が正規の位置関係とならない状態で組立て不可能にすることができる。
【００５９】
また、各分割周壁の１対の内鍔部の周方向一端部に、左右方向に厚肉のビス留め用の１対のボス部５０ｇが設けられ、この１対のボス部５０ｇに組立て相手側の分割周壁の１対の内鍔部のボス部５０ｇの無い周方向一端部が当接することになるが、分割周壁の組立て方向が左右逆向きとなった場合、その分割周壁のボス部５０ｇが組立て相手側の分割周壁のボス部５０ｇと相互干渉する。故に、３個の分割周壁５１，５２，５３が正規の位置関係とならない状態で組立て不可能にすることができ、また、分割周壁５１，５２，５３の間違った組立てを即座に知ることができる。
【００６０】
次に、３個の分割周壁５１，５２，５３が正規の位置関係となるように組立てられた状態で、左環状端壁５５が３個の分割周壁５１，５２，５３に対して正規の位置関係とならない状態で左取付凹部５０ａに嵌合不可能にするために、左環状端壁５５が３個の分割周壁５１，５２，５３に対して正規の位置関係となる場合にのみ、左環状端壁５５の複数の係合ピン５５ｄが左取付凹部５０ａの複数の位置決め穴５０ｆに係合して、左環状端壁５５が左取付凹部５０ａに嵌合するように構成されている。
【００６１】
つまり、左環状端壁５５が３個の分割周壁５１，５２，５３に対して正規の位置関係とならない場合には、左環状端壁５５の複数の係合ピン５５ｄの少なくとも１つが、左取付凹部５０ａと干渉し、こうした構成を、左取付凹部５０ａの位置決め穴５０ｆと左環状端壁５５の位置決めピン５５ｄの数及び配置によって達成している。
【００６２】
図２０、図２１、図２６〜図２９等に示すように、右回転ドラム４１Ｂは、左回転ドラム４１Ａと左右対称構造であり、３個の分割周壁６１，６２，６３からなるドラム周壁６０と１対の環状端壁６５，６６（左環状端壁６５と右環状端壁６６）を有する。右環状端壁６６が基準環状端壁となる。そして、右回転ドラム４１Ｂの内側に複数のＬＥＤ６７（図１６、図１７参照）が設けられ、この複数のＬＥＤ６７の光が、右回転ドラム４１Ｂの前側に位置する分割周壁６１，６２，６３のシート状レンズで拡散され、その分割周壁６１，６２，６３を透過して電飾する。尚、右回転ドラム４１Ｂのドラム周壁６０に形成された図柄の少なくとも一部を、左回転ドラム４１Ａの図柄と異ならせてもよい。
【００６３】
図２０、図２１、図３０〜図３３等に示すように、中央回転ドラム４１Ｃは、３個の分割周壁７１，７２，７３からなるドラム周壁７０と１対の環状端壁７５，７６（左環状端壁７５と右環状端壁７６）を有するものであり、基準環状端壁となる左環状端壁７５以外は、左回転ドラム４１Ａと同様の構成である。そして、中央回転ドラム４１Ｃの内側に複数のＬＥＤ７７（図１６、図１７参照）が設けられ、この複数のＬＥＤ７７の光が、中央回転ドラム４１Ｃの前側に位置する分割周壁７１，７２，７３のシート状レンズで拡散され、その分割周壁７１，７２，７３を透過して電飾する。尚、中央回転ドラム４１Ｃのドラム周壁７０に形成された図柄の少なくとも一部を、左回転ドラム４１Ａや右回転ドラム４１Ｂの図柄と異ならせてもよい。
【００６４】
左環状端壁７５は、合成樹脂製であり、ドラム周壁７０の左端部に結合され、つまり、ドラム周壁７０の左取付凹部７０ａに嵌合した状態で結合されている。左環状端壁７５は、左取付凹部７０ａと同径同サイズのおにぎり形状に形成され、その内周部が比較的小さな円形孔部７５ａに形成されている。左環状端壁７５の左面部には、軸心ａと直交方向に細長い凹溝７５ｂが円形孔部７５ａを貫通するように形成されている。また、左環状端壁７５には、３つのビス穴７５ｃが形成されるとともに、複数の位置決めピン７５ｄが一体形成され、この３つのビス穴７５ｃと複数の位置決めピン７５ｄは、左回転ドラム４１Ａの左環状端壁５５のものと同様である。
【００６５】
つまり、３個の分割周壁７１，７２，７３及び１対の環状端壁７５，７６は、周方向と軸心方向に正規の位置関係となる場合にだけ組立てできるように構成されている。そのために、３個の分割周壁７１，７２，７３は、正規の位置関係とならない状態で組立て不可能に構成され、また、３個の分割周壁７１，７２，７３が正規の位置関係となるように組立てられた状態で、１対の環状端壁７５，７６のうちの一方の基準環状端壁となる左環状端壁７５が、３個の分割周壁７１，７２，７３に対して正規の位置関係とならない状態で左取付凹部７０ａに嵌合不可能に構成されている。
【００６６】
回転支持機構４２について説明する。
図１６〜図２１に示すように、回転支持機構４２は、左右方向に延びてドラムケース４０のベース部材４５に取付けられ且つ３個の回転ドラム４１Ａ，４１Ｂ，４１Ｃが外嵌される支持ケース８０を有し、この支持ケース８０に各回転ドラム４１Ａ，４１Ｂ，４１Ｃの一部が回転自在に支持され、軸心ａと同心状に配設された中央回転駆動機構４３Ｃの駆動軸１２０が支持ケース８０を左右方向に貫通している。
【００６７】
支持ケース８０は、左右方向に隣接するように並設された１対の分割支持ケース８１，８２（左分割支持ケース８１と右分割支持ケース８２）を有する。右分割支持ケース８２の左右長は左分割支持ケース８１の左右長の約２倍あり、左分割支持ケース８１に左回転ドラム４１Ａが外嵌され、右分割支持ケース８２に右回転ドラム４１Ｂと中央回転ドラム４１Ｃが外嵌されている。
【００６８】
左分割支持ケース８１は、その左端部がベース部材４５に固定されるとともに、その左端部に駆動軸１２０が合成樹脂製のベアリング部材８５を介して回転自在に内嵌支持され、その右端部が駆動軸１２０に合成樹脂製のベアリング部材８６を介して相対回転自在に外嵌支持されている。左回転ドラム４１Ａは、その左端部が左分割支持ケース８１に合成樹脂製のベアリング部材８７を介して回転自在に外嵌支持され、その右端部が左分割支持ケース８１と駆動軸１２０に前記のベアリング部材８６を介して回転自在に外嵌支持されている。
【００６９】
左分割支持ケース８１は、前方に開放する断面コ字状の合成樹脂製のケース本体８１ａと、このケース本体８１ａの開放端部である前端部に装着された基板８１ｂとを有し、この基板の前面部に左回転ドラム４１Ａを電飾する複数のＬＥＤ５７が実装されている。ケース本体８１ａと基板８１ｂとで閉断面が形成され、ケース本体８１ａの上壁と下壁の外面は軸心ａを中心とする円筒面に形成されている。
【００７０】
ケース本体８１ａの左端部に上下に突出状に形成されたフランジ８１ｃがドラムケース４０のベース部材４５に固定されている。ベアリング部材８５はケース本体８１ａの左端壁に内嵌状に装着され、このベアリング部材８５に駆動軸１２０が内嵌されている。ベアリング部材８６はケース本体８１ａの右端壁にその中心側部分が内嵌状に且つ外周側部分が外嵌状に装着され、このベアリング部材８６に駆動軸１２０が内嵌されるとともに左回転ドラム４１Ａの右環状端壁５６の円形孔部５６ａが外嵌されている。ベアリング部材８７はケース本体８１ａの左部に外嵌状に装着され、このベアリング部材８７に左回転ドラム４１Ａの左環状端壁５５の連結筒部５５ｂが外嵌されている。
【００７１】
ベアリング部材８７に左回転駆動機構４３Ａのギヤ部材１００が回転自在に外嵌支持され、このギヤ部材１００に左回転ドラム４１Ａの左環状端壁５５の連結筒部５５ｂ（左端部）が取付けられている。ギヤ部材１００に右端開放状のドラム取付環状凹部１００ａが形成され、そのドラム取付環状凹部１００ａに左回転ドラム４１Ａの連結筒部５５ｂが相対回転不可能に内嵌されている。そして、ベアリング部材８６，８７により、左回転ドラム４１Ａがギヤ部材１００と共に左分割支持ケース８１に対して回転可能に且つ左右方向へ移動不可能に装着されている。
【００７２】
ここで、ドラム取付環状凹部１００ａに周方向１２０度間隔で３個の周方向幅が異なる突起部１００ｂが形成され、連結筒部５５ｂに周方向１２０度間隔で３個の周方向幅が異なるスリット５５ｅが形成され、ギヤ部材１００と左回転ドラム４１Ａとが周方向に正規の位置関係となる場合にだけ、この３個の突起部１００ｂが３個のスリット５５ｅに係合して、連結筒部５５ｂがドラム取付環状凹部１００ａに内嵌される。
【００７３】
右分割支持ケース８２は、その右端部がベース部材４５に固定されるとともに、その右端部に駆動軸１２０が合成樹脂製のベアリング部材８８を介して回転自在に内嵌支持され、その左端部が駆動軸１２０に合成樹脂製のベアリング部材８９を介して相対回転自在に外嵌支持されている。右回転ドラム４１Ｂは、その右端部と左端部が右分割支持ケース８２に合成樹脂製のベアリング部材９０，９１を介して回転自在に外嵌支持されている。中央回転ドラム４１Ｃは、その左端部が駆動軸１２０に相対回転不可能に連結され、その右端部が右分割支持ケース８２に前記のベアリング部材９１を介して回転自在に外嵌支持されている。
【００７４】
右分割支持ケース８２は、前方に開放する断面コ字状の合成樹脂製のケース本体８２ａと、このケース本体８２ａの開放端部である前端部に装着された基板８２ｂとを有し、この基板８２ｂの前面部に右回転ドラム４１Ｂと中央回転ドラム４１Ｃを夫々内側から電飾する複数のＬＥＤ６７，７７が実装されている。ケース本体８２ａと基板８２ｂとで閉断面が形成され、ケース本体８２ａの上壁と下壁の外面は軸心ａを中心とする円筒面に形成されている。
【００７５】
ケース本体８２ａの右端部に上下に突出状に形成されたフランジ８２ｃがドラムケース４０のベース部材４５に固定されている。ベアリング部材８８，８９はケース本体８２ａの右端壁と左端壁に内嵌状に装着され、これらベアリング部材８８，８９に駆動軸１２０が内嵌されている。ベアリング部材９０はケース本体８２ａの右部に外嵌状に装着され、このベアリング部材９０に右回転ドラム４１Ｂの右環状端壁６６の連結筒部６６ｂが外嵌され、ベアリング部材９１はケース本体８２ａの左右方向中央部に外嵌状に装着され、このベアリング部材９１に右回転ドラム４１Ｂの左環状端壁６５の円形孔部６５ａと中央回転ドラム４１Ｃの右環状端壁７６の円形孔部７６ａが外嵌され、中央回転ドラム４１Ｃの左環状端壁７５の円形孔部７５ａが駆動軸１２０に外嵌されている。
【００７６】
ベアリング部材９０に右回転駆動機構４３Ｂのギヤ部材１１０が回転自在に外嵌支持され、このギヤ部材１１０に右回転ドラム４１Ｂの右環状端壁６６の連結筒部６６ｂ（右端部）が取付けられている。ギヤ部材１１０に左端開放状のドラム取付環状凹部１１０ａが形成され、そのドラム取付環状凹部１１０ａに右回転ドラム４１Ｂの連結筒部６６ｂが相対回転不可能に内嵌されている。そして、ベアリング部材９０，９１により、右回転ドラム４１Ｂがギヤ部材１１０と共に右分割支持ケース８２に対して回転可能に且つ左右方向へ移動不可能に装着されている。
【００７７】
ここで、ドラム取付環状凹部１１０ａに周方向１２０度間隔で３個の周方向幅が異なる突起部１１０ｂが形成され、連結筒部６６ｂに周方向１２０度間隔で３個の周方向幅が異なるスリット６６ｃが形成され、ギヤ部材１１０と右回転ドラム４１Ｂとが周方向に正規の位置関係となる場合にだけ、この３個の突起部１１０ｂが３個のスリット６６ｃに係合して、連結筒部６６ｂがドラム取付環状凹部に内嵌される。
【００７８】
また、１対の分割支持ケース８１，８２の間に、中央回転ドラム４１Ｃに駆動軸１２０を相対回転不可能に連結する連結部材である連結ピン１２４が設けられている。そして、連結ピン１２４とベアリング部材９１により、中央回転ドラム４１Ｃが駆動軸１２４と共に右分割支持ケース８２に対して回転可能に且つ左右方向へ移動不可能に装着されている。ここで、駆動軸１２０において、左分割支持ケース８１よりも左方へ突出している左端部には、中央回転駆動機構４３Ｃのギヤ部材１２１と抜止め用のＣリング１２０ａが取付けられ、右分割支持ケース８２よりも右方へ突出している右端部には、中央原点検出手段４４Ｃの遮蔽部材１５１と抜止め用Ｃリング１２０ｂが取付けられている。
【００７９】
３個の回転ドラム４１Ａ，４１Ｂ，４１Ｃ、１対の分割支持ケース８１，８２、駆動軸１２０、連結ピン１２４、ギヤ部材１００，１１０，１２１、遮蔽部材１５１、Ｃリング１２０ａ，１２０ｂ等により、ドラムユニット４１（図１２、図１５、図１６参照）が構成されている。このドラムユニット４１は、予め組立てられた状態で、ドラムケース４０のベース部材４５に、１対の分割支持ケース８１，８２をビス止めすることで組付けられる。
【００８０】
尚、左回転ドラム４１Ａの右環状端壁５６と右回転ドラム４１Ｂの左環状端壁６５と中央回転ドラム４１Ｃの右環状端壁７６、左回転ドラム４１Ａの左環状端壁５５と右回転ドラム４１Ｂの右環状端壁６６は、夫々、同構造の部品からなる。
【００８１】
回転駆動機構４３Ａ，４３Ｂ，４３Ｃについて説明する。
図８、図１０〜図１３等に示すように、左回転駆動機構４３Ａは、３個の回転ドラム４１Ａ，４１Ｂ，４１Ｃ（左回転ドラム４１Ａ）の左部近傍に配設されたギヤ部材１００と駆動ギヤ部材１０１と電動モータ１０２（ステッピングモータ１０２）とを有する。ギヤ部材１００は、前記のように左回転ドラム４１Ａの左端部に取付けられ、駆動ギヤ部材１０１はギヤ部材１００の下側に配置されてギヤ部材１００に噛合している。電動モータ１０２は、左回転ドラム４１Ａの左部下側に左向きに配置されて、ドラムケース４０のベース部材４５に取付けられ、その出力軸に駆動ギヤ部材１０１が連結され、駆動ギヤ部材１０１とギヤ部材１００を介して左回転ドラム４１Ａに駆動力を入力する。
【００８２】
右回転駆動機構４３Ａは、３個の回転ドラム４１Ａ，４１Ｂ，４１Ｃ（右回転ドラム４１Ｂ）の右部近傍に配設されたギヤ部材１１０と駆動ギヤ部材１１１と電動モータ１１２（ステッピングモータ１１２）とを有する。ギヤ部材１１０は、前記のように右回転ドラム４１Ｂの右端部に取付けられ、駆動ギヤ部材１１１はギヤ部材１１０の下側に配置されてギヤ部材１１０に噛合している。電動モータ１１２は、右回転ドラム４１Ｂの右部下側に右向きに配置されて、ドラムケース４０のベース部材４５に取付けられ、その出力軸に駆動ギヤ部材１１１が連結され、駆動ギヤ部材１１１とギヤ部材１１０を介して右回転ドラム４１Ｂに駆動力を入力する。
【００８３】
中央回転駆動機構４３Ｃは、全部の回転ドラム４１Ａ，４１Ｂ，４１Ｃを貫通する駆動軸１２０と、３個の回転ドラム４１Ａ，４１Ｂ，４１Ｃの左端側（左回転ドラム４１Ａの左側）に配設されたギヤ部材１２１と駆動ギヤ部材１２２と電動モータ１２３（ステッピングモータ１２３）とを有する。駆動軸１２０は、前記のように軸心ａと同心状に配設されて中央回転ドラム４１Ｂに相対回転不能に連結され、ギヤ部材１２１は、前記のように駆動軸１２０の左端部に取付けられている。電動モータ１２３は、右向きに配置されて、ドラムケース４０のベース部材４５に取付けられ、その出力軸に駆動ギヤ部材１２２が連結され、駆動ギヤ部材１２２とギヤ部材１２１を介して駆動軸１２０の左端部に駆動力を入力する。
【００８４】
中央回転駆動機構４３Ｃは、駆動軸１２０を軸心直交方向に貫通する連結ピン１２４と、この連結ピン１２４が係合するように中央回転ドラム４１Ｃに形成されたピン係合部７５ｂとを有する。ピン係合部７５ｂは、連結ピン１２４が軸心方向と平行方向（左側）から係合するように、中央回転ドラム４１Ｃの左環状端壁７５に形成された細長い凹溝７５ｂからなる。１対の分割支持ケース８１，８２の間に、中央回転ドラム４１Ｃに駆動軸１２０を相対回転不能に連結する連結部材としての連結ピン１２４が配置されている。こうして、駆動軸１２０から連結ピン１２４を介して中央回転ドラム４１Ｃに駆動力が入力される。
【００８５】
尚、左回転駆動機構４１Ａと右回転駆動機構４１Ｂのギヤ部材１００，１０１／１１１，１１２、回転駆動機構４１Ａ，４１Ｂ，４１Ｃの電動モータ１０２，１１２，１２３は、夫々、同構造の部品からなる。尚、左回転駆動機構４１Ａのギヤ１００，１０１のギヤ比と、右回転駆動機構４１Ｂのギヤ１１０，１１１のギヤ比と、中央回転駆動機構４１Ｃのギヤ１２１，１２２のギヤ比は同じである。
【００８６】
原点検出手段４４Ａ，４４Ｂ，４４Ｃについて説明する。
図１０〜図１３等に示すように、左原点検出手段４４Ａは、３個の回転ドラム４１Ａ，４１Ｂ，４１Ｃの左端側（左回転ドラム４１Ａの左側）に配設され、駆動軸１２０の左端側部分に設けられた被検出部１３０（図１９参照）と、この被検出部１３０を介して左回転ドラム４１Ａの原点位置を検出する原点検出センサ１３５とを有する。
【００８７】
左回転ドラム４１Ａの左端部に連結されたギヤ部材１００には、左方へ突出する環状の遮蔽部材１３１が一体形成され、この遮蔽部材１３１により、その周方向一部に形成されたスリットで被検出部１３０が形成されている。つまり、被検出部１３０はギヤ部材１００に一体的に設けられている。
【００８８】
図３４〜図３７に示すように、原点検出センサ１３５は、凹形の本体１３５ａと、この本体１３５ａの対向する両端部に取付けられた発光部１３５ｂと受光部１３５ｃとを有する光学センサ（フォトインタラプタ）からなり、その発光部１３５ｂと受光部１３５ｃが本体１３５ａの基部から右方へ突出して環状の遮蔽部材１３１を挟んで上下に位置するように、左回転駆動機構４３Ｂのギヤ部材１００，１０１の左側に且つ中央回転駆動機構４３Ｃのギヤ部材１２１，１２２の右側に配置されて、センサ取付部材１３６を介してドラムケース４０のベース部材４５に取付けられている。
【００８９】
右原点検出手段４４Ｂは、３個の回転ドラム４１Ａ，４１Ｂ，４１Ｃの右端側（右回転ドラム４１Ｂの右側）に配設され、駆動軸１２０の右端側部分に設けられた被検出部１４０（図２０等参照）と、この被検出部１４０を介して右回転ドラム４１Ａの原点位置を検出する原点検出センサ１４５とを有する。
【００９０】
右回転ドラム４１Ｂの右端部に連結されたギヤ部材１１０には、右方へ突出する環状の遮蔽部材１４１が一体形成され、この遮蔽部材１４１により、その周方向一部に形成されたスリットで被検出部１４０が形成されている。つまり、被検出部１４０はギヤ部材１１０に一体的に設けられている。
【００９１】
原点検出センサ１４５は、前記原点検出センサ１３５と同構造のものであり、故に、詳細構造は原点検出センサ１３５と同一符号を付して説明するが、その発光部１３５ｂと受光部１３５ｃが本体１３５ａの基部から左方へ突出して環状の遮蔽部材１４１を挟んで上下に位置するように、右回転駆動機構４３Ｂのギヤ部材１１０，１１１の右側に且つ中央原点検出手段４４Ｃの遮蔽部材１５１の左側に配置されて、センサ取付部材１４６を介してドラムケース１４０のベース部材１４５に取付けられている。
【００９２】
中央原点検出手段４４Ｂは、３個の回転ドラム４１Ａ，４１Ｂ，４１Ｃの右端側（右回転ドラム４１Ｂの右側）に配設され、駆動軸１２０の右端側部分に設けられた被検出部１５０（図２０等参照）と、この被検出部１５０を介して中央回転ドラム４１Ｃの原点位置を検出する原点検出センサ１５５とを有する。
【００９３】
駆動軸１２０の右端部には環状の遮蔽部材１５１が取付けられ、この遮蔽部材１５１により、その周方向一部に形成されたスリットで被検出部１５０が形成されている。
【００９４】
原点検出センサ１５５は、前記原点検出センサ１３５と同構造のものであり、故に、詳細構造は原点検出センサ１３５と同一符号を付して説明するが、その発光部１３５ｂと受光部１３５ｃが本体１３５ａの基部から左方へ突出して環状の遮蔽部材１５１を挟んで上下に位置するように、遮蔽部材１５１の右端側に配置されて、センサ取付部材１５６を介してドラムケース１４０のベース部材１４５に取付けられている。
【００９５】
ここで、左原点検出手段４４Ａの原点検出センサ１３５と右原点検出手段４４Ｂの原点検出センサ１４５、左原点検出手段４４Ａの原点検出センサ１３５と中央原点検出手段４４Ｃの原点検出センサ１５５は、夫々、その取付状態が表裏逆（前後逆）となるように構成され、この表裏逆の原点検出センサ１３５，１４５／１３５，１５５の取付けに同構造のセンサ取付部材１３６，１４６，１５６を使用するために各センサ取付部材１３６，１４６，１５６が表裏方向（前後方向）に対称構造に形成されている。
【００９６】
２つの原点検出センサ１３５，１４５、２つの原点検出センサ１３５，１５５は、夫々、それらの本体１３５ａの向きが水平方向（左右）に反対となって取付状態が表裏逆となり、故に、２つの原点検出センサ１３５，１４５のセンサ取付部材１３６，１４６のベース部材４５への取付状態と、２つの原点検出センサ１３５，１５５のセンサ取付部材１３６，１５６のベース部材４５への取付状態が夫々表裏逆となる。
【００９７】
図３４〜図３８に示すように、センサ取付部材１６０（１３６，１４６，１５６）は、矩形ケース部１６１と、矩形ケース部１６１の一端部（下端部）から突出する取付片１６２とを有し、矩形ケース部１６１には、その内側一部を左右に仕切るベース壁１６３が設けられている。
【００９８】
原点検出センサ１３５（１４５，１５５）は、その本体１３５ａが、矩形ケース部１６１に収容されてベース壁１６３に当接した状態で、本体１３５ａから延びる複数の爪１３５ｄが、ベース壁１６３に形成された爪穴を挿通している。そして、矩形ケース部１６１には、本体１３５ａと反対側から固定片１６５が収容されてビス１６６でベース壁１６３に固定され、この固定片１６４によって複数の爪１３５ｄが係止されて、原点検出センサ１３５（１４５，１５５）がセンサ取付部材１６０に固定保持される。
【００９９】
センサ取付部材１６０は、その取付片１６２がベース部材１４５に位置決めされるとともにビスで取付けられ、そのために、取付片１６２に、ベース部材１４５に設けられた位置決め用の係合部１７１ａ，１７２ａ，１７３ａ（図１４参照）が係合する位置決め孔１６２ａと、ビス孔１６２ｂとが貫通状に形成され、また、矩形ケース部１６１の表裏１対の壁部１６１ａに、ベース部材１４５に設けられた位置決め用の第２の係合部１７１ｂ，１７２ｂ，１７３ｂ（図１４参照）が係合可能な第２の位置決め孔１６１ｂが夫々形成されている。
【０１００】
また、ベース部材１４５には、係合部１７１ａ，１７２ａ，１７３ａの近傍にボス部１７１ｃ，１７２ｃ，１７３ｃ（図１４参照）が設けられ、センサ取付部材１６０の取付片１６２がボス部１７１ｃ，１７２ｃ，１７３ｃに当接した状態でビス孔１６２ｂに嵌まったビスで固定されている。尚、係合部１７１ａ，１７２ａ，１７３ａと第２の係合部１７１ｂ，１７２ｂ，１７３ｂの少なくとも一方については、ビスにより構成し、そのビスにより、センサ取付部材１６０をベース部材４５に位置決めするとともに固定してもよい。
【０１０１】
以上説明したドラム装置１７によれば次の効果を奏する。
中央回転駆動機構４３Ｃが、軸心ａと同心状に配設されて中央回転ドラム４１Ｃに相対回転不可能に連結され且つ中央回転ドラム４１Ｃよりも左側に位置する左回転ドラム４１Ａを貫通する駆動軸１２０と、３個の回転ドラム４１Ａ，４１Ｂ，４１Ｃの左端側に配設されて駆動軸１２０の左端分部に駆動力を入力するギヤ部材１２１，１２２と電動モータ１２３とを備えたので、中央回転駆動機構４３Ｃを回転ドラム４１Ａ，４１Ｂ，４１Ｃの邪魔にならないように設けて、中央回転ドラム４１Ｃを回転駆動することができる。
【０１０２】
中央原点検出手段４４Ｃが３個の回転ドラム４１Ａ，４１Ｂ，４１Ｃの右端側に配設されたので、中央原点出手段４４Ｃを回転ドラム４１Ａ，４１Ｂ，４１Ｃの邪魔にならないように設けて、中央回転ドラム４１Ｃの原点位置を検出することができる。従って、回転ドラム４１Ａ，４１Ｂ，４１Ｃを小径化することができ、更に、左回転駆動機構４３Ａと左原点検出手段４４Ａが、３個の回転ドラム４１Ａ，４１Ｂ，４１Ｃの左端側に配設され、右回転駆動機構４３Ｂと右原点検出手段４４Ｂが、３個の回転ドラム４１Ａ，４１Ｂ，４１Ｃの右端側に配設されたので、中央回転ドラム４１Ｃを左回転ドラム４１Ａと右回転ドラム４１Ｂとに近接させて、３の回転ドラム４１Ａ，４１Ｂ，４１Ｃを左右方向に略隙間無く並設することができる。
【０１０３】
駆動軸１２０は、全部の回転ドラム４１Ａ，４１Ｂ，４１Ｃを貫通しているため、中央回転駆動機構４３Ｃのギヤ部材１２１，１２２と電動モータ１２３を３個の回転ドラム４１Ａ，４１Ｂ，４１Ｃの左端側に、また、中央原点検出手段４４Ｃを３個の回転ドラム４１Ａ，４１Ｂ，４１Ｃの右端側に、バランス良く配置することができて、ドラム装置１７をコンパクトに構成することができる。
【０１０４】
中央回転駆動機構４３Ｃは、駆動軸１２０を軸心直交方向に貫通する連結ピン１２４と、この連結ピン１２４が係合するように中央回転ドラム４１Ｃに形成されたピン係合部７５ｂとを有するので、簡単な構造で、駆動軸１２０を中央回転ドラム４１Ｃに相対回転不可能に確実に連結することができ、この連結ピン１２４を介して、駆動軸１２０から中央回転ドラム４１Ｃに駆動力を確実に伝達することができる。
【０１０５】
ピン係合部７５ｂは、連結ピン１２４が左側から係合するように、中央回転ドラム４１Ｃの左環状端壁７５に形成された細長い凹溝７５ｂからなるので、駆動軸１２０を中央回転ドラム４１Ｃに相対回転不可能に連結する構造を一層簡単化することができる。
【０１０６】
中央原点検出手段４４Ｃは、駆動軸１２０の右端側部分に設けられた被検出部１５０と、この被検出部１５０を介して原点位置を検出する原点検出センサ１５５とを有するので、この原点位置の検出を駆動軸１２０を有効に利用して行うことができる。被検出部１５０が遮蔽部材１５１により形成され、原点検出センサ１５５が発光部１５５ｂと受光部１５５ｃとを有する光学センサ１５５からなるので、原点位置を確実に検出できる。
【０１０７】
左回転駆動機構４３Ａが、左回転ドラム４１Ａのうち中央回転ドラム４１Ｃと反対側の左端部に取付けられたギヤ部材１００を有し、このギヤ部材１００に左原点検出手段４４Ａの被検出部１３０が一体的に設けられている（遮蔽部材１３１が一体形成されている）ため、また、右回転駆動機構４３Ｂが、右回転ドラム４１Ｂのうち中央回転ドラム４１Ｃと反対側の右端部に取付けられたギヤ部材１１０を有し、このギヤ部材１１０に右原点検出手段４４Ｂの被検出部１４０が一体的に設けられている（遮蔽部材１４１が一体形成されている）ため、部品点数を減らして構造を簡単化することができる。
【０１０８】
回転支持機構１２０が、左右方向に延びてベース部材４５に取付けられ且つ３個の回転ドラム４１Ａ，４１Ｂ，４１Ｃが外嵌される支持ケース８０を有し、この支持ケース８０に各回転ドラム４１Ａ，４１Ｂ，４１Ｃの一部が回転自在に支持され、駆動軸１２０が支持ケース８０を貫通しているので、３個の回転ドラム４１Ａ，４１Ｂ，４１Ｃを夫々確実に安定させて回転自在に支持することがで、また、駆動軸１２０を回転ドラム４１Ａ，４１Ｂ，４１Ｃの邪魔にならないように配設することができる。
【０１０９】
支持ケース８０は、左右方向に並設された１対の分割支持ケース８１，８２を有し、この１対の分割支持ケース８１，８２の間に、中央回転ドラム４１Ｃに駆動軸１２０を相対回転不可能に連結する連結ピン１２４が配置されたので、支持ケース８０が邪魔になることなく、駆動軸１２０を中央回転ドラム４１Ｃに相対回転不可能に連結できる。
【０１１０】
左回転ドラム４１Ａは、その左端部がベアリング部材８７を介して左分割支持ケース８１に支持され、その右端部がベアリング部材８６を介して左分割支持ケース８１及び駆動軸１２０に支持されているため、また、右回転ドラム４１Ｂは、その左右両端部がベアリング部材９１，９０を介して右分割支持ケース８２に支持されているため、また、中央回転ドラム４１Ｃは、その左端部が連結ピン１２４に連結支持され、その右端部がベアリング部材９１を介して右分割支持ケース８２に支持されているため、３個の回転ドラム４１Ａ，４１Ｂ，４１Ｃを夫々非常に安定した状態で回転自在に設けることができ、回転ドラム４１Ａ，４１Ｂ，４１Ｃに回転ブレが生じる虞も極めて低くなる。
【０１１１】
各分割支持ケース８１，８２は、断面コ字状のケース本体８１ａ，８２ａと、このケース本体８１ａ，８２ａの開放端部に装着された基板８１ｂ，８２ｂとを有するので、各分割支持ケース８１，８２を剛性が高い構造にし、そして、３個の回転ドラム４１Ａ，４１Ｂ，４１Ｃのドラム周壁５０，６０，７０が光透過性を有し、そのドラム周壁５０，６０，７０を内側から電飾する複数のＬＥＤ５７，６７，７７が基板８１ｂ，８２ｂに実装されたので、回転ドラム４１Ａ，４１Ｂ，４１Ｃの回転支持と、回転ドラム４１Ａ，４１Ｂ，４１Ｃを電飾する複数のＬＥＤ４１Ａ，４１Ｂ，４１Ｃの装備とを、分割支持ケース８１，８２によって達成することができ、構造を簡単化する上で有利になる。
【０１１２】
左回転ドラム４１Ａの図柄が形成されたドラム周壁５０は、周方向に分割された３個の分割周壁５１，５２，５３を有し、この３個の分割周壁５１，５２，５３が互いに結合されたので、各分割周壁５１，５２，５３を射出成形して、ドラム周壁５０に図柄を一体形成することができ、ドラム周壁５０に複数の図柄を設ける負荷を軽減することができる。
【０１１３】
各分割周壁５１，５２，５３が凹凸の有る図柄と共に射出成形により一体成形され、ここで、各ドラム周壁５１，５２，５３の射出成形後の金型からの型抜き方向を、図柄の凹凸方向とすることができるため、凹凸の有る図柄の形状の制限が抑制され、つまり、所望の図柄形状にして、図柄の意匠性を高めることができる。
【０１１４】
各分割周壁５１，５２，５３は、その内面部にシート状レンズを一体化させるインモールド成形により形成されたので、各分割周壁５１，５２，５３を程よく電飾できなるようになり、何よりも、シート状レンズやそれに代わるレンズを別途取付ける必要がなくなるため、このレンズの組立て負荷を軽減することができる。
【０１１５】
左回転ドラム４１Ａは、ドラム周壁５０の左右両端部に結合された１対の環状端壁５５，５６を有するので、左回転ドラム４１Ａの剛性を高めることができ、また、ドラム周壁５０の左右両端部に１対の取付凹部５０ａ，５０ｂが形成され、この１対の取付凹部５０ａ，５０ｂに１対の環状端壁５５，５６が嵌合した状態で結合されたので、左回転ドラム４１Ａの組立て性を高めることができる。
【０１１６】
各分割周壁５１，５２，５３にその左右両端付近から軸心ａ側へ張出して１対の取付凹部５０ａ，５０ｂの一部を形成する１対の内鍔部５１ａ，５２ａ，５３ａを有し、隣合う２個の分割周壁５１，５２／５２，５３／５３，５１の内鍔部５１ａ，５２ａ／５２ａ，５３ａ／５３ａ，５１ａと環状端壁５５，５６が、左右方向へ重ねられた状態でビス５９で締結されたので、ドラム周壁５１，５２，５３と環状端壁５５，５６とを互いに強固に結合することができる。
【０１１７】
３個の分割周壁５１，５２，５３及び１対の環状端壁５５，５６は、周方向と軸心方向に正規の位置関係となる場合にだけ組立てできるように構成されたので、左回転ドラム４１Ａが不適切に組立てられること、つまり、左回転ドラム４１Ａの原点位置における図柄が定位置とならないように組立てられることを防止して、左回転ドラム４１Ａの組立て性を高めることができる。
【０１１８】
３個の分割周壁５１，５２，５３は、正規の位置関係とならない状態で組立て不可能に構成されたので、３個の分割周壁５１，５２，５３の間違った組立てを即座に知ることができる。また、３個の分割周壁５１，５２，５３が正規の位置関係となるように組立てられた状態で、左環状端壁５５が、３個の分割周壁５１，５２，５３に対して正規の位置関係とならない状態で取付凹部５０ａに嵌合不可能に構成されので、左回転ドラム４１Ａの間違った組立てを確実に防止することができる。
【０１１９】
３個の分割周壁５１，５２，５３の内鍔部５１ａ，５２ａ，５３ａに複数の位置決め穴５０ｆが形成されるとともに、この複数の位置決め穴５０ｆに係合可能な複数の位置決めピン５５ｄが左環状端壁５５に設けられ、左環状端壁５５が３個の分割周壁５１，５２，５３に対して正規の位置関係となる場合にのみ、複数の係合ピン５５ｄが複数の係合穴５０ｆに係合して、左環状端壁５５が取付凹部５０ａに嵌合するので、左回転ドラム４１Ａの間違った組立てを確実に且つ容易に防止することができる。
【０１２０】
左回転ドラム４１Ａのドラム周壁５０が、左右方向に延びる３本の稜線５０ｄと、この３本の稜線５０ｄ間に夫々位置する３個の湾曲外面となる部分円筒５０ｃとを有するので、左回転ドラム４１Ａのドラム周壁５０の外面の曲率を左回転ドラム４１Ａの直径を有する円の曲率よりも小さくすることができ、左回転ドラム４１Ａの回転停止時に表示される各図柄が歪んで見える程度を抑制することができる。
【０１２１】
特に、左回転ドラム４１Ａは比較的小径化であり、そこで、各図柄の周方向サイズを適当に大きくすることが求められるが、従来の回転ドラムの構造では、回転ドラムの小径化によりドラム周壁の曲率が大きくなるため、回転ドラムの回転停止時に表示される各図柄が歪んで見える程度が大きくなる。これを防止して各図柄を見易くすることができる。
【０１２２】
尚、右回転ドラム４１Ｂと中央回転ドラム４１Ｃについても、左回転ドラム４１Ａの前記効果と同様の効果を奏する。
【０１２３】
２つの原点検出センサ１３５，１４５／１３５，１５５は、その取付状態が表裏逆となるように構成され、この表裏逆の原点検出センサ１３５，１４５，１５５の取付けに同構造のセンサ取付部材１６０を使用するために各センサ取付部材１６０が表裏方向に対称構造に形成されたので、３つの原点検出センサ１３５，１４５，１５５を夫々ベース部材４５に取付ける複数のセンサ取付部材１６０を共通のセンサ取付部材１６０とすることができ、つまり、センサ取付部材１６０の種類を減らすことができ、３つの原点検出センサ１３５，１４５，１５５のベース部材４５への組付け負荷を抑制することができる。
【０１２４】
センサ取付部材１６０は、矩形ケース部１６１と、矩形ケース部１６１の一端部から突出する取付片１６２とを有し、この取付片１６２がベース部材４５に位置決めされるとともにビスで取付けられるので、そのために、取付片１６２には、ベース部材４５に設けられた位置決め用の係合部１７１ａ，１７２ａ，１７３ａが係合する位置決め孔１６２ａと、ビス孔１６２ｂとが形成されたので、センサ取付部材１６０をベース部材４５に簡単確実に位置決めして取付けることができる。
【０１２５】
矩形ケース部１６１の表裏１対の壁部１６１ａに、ベース部材４５に設けられた位置決め用の第２の係合部１７１ｂ，１７２ｂ，１７３ｂが係合可能な第２の位置決め孔１６１ｂが夫々形成されたので、センサ取付部材１６０をベース部材４５に安定した状態で位置決めして取付けることができる。
【０１２６】
３個の回転ドラム４１Ａ，４１Ｂ，４１Ｃは、センタ役物１５の下端側部分に画像表示器１６の画面と遊技領域４ａとに臨むように装着されているため、画像表示器１６による演出と３個の回転ドラム４１Ａ，４１Ｂ，４１Ｃによる演出の関連性や一体性を高めることができる。３個の回転ドラム４１Ａ，４１Ｂ，４１Ｃのドラム周壁５０，６０，７０の上面部と前面部に沿う形状の部分円筒カバー部４６ａを有するドラムカバー４６を備えたので、この部分円筒カバー部４６ａにより、遊技領域４ａに臨むドラム周壁５０，６０，７０に遊技球が当らないように、ドラム周壁５０，６０，７０をガードした状態で外部へ表示させることができる。
【０１２７】
そして、前記のように、３個の回転ドラム４１Ａ，４１Ｂ，４１Ｃは、共通の軸心ａを中心に回転可能に左右方向に並設され、しかも、左右方向に近接し、しかも、各回転ドラム４１Ａ，４１Ｂ，４１Ｃは、その直径よりも長い軸心方向長さを有するため、３個の回転ドラム４１Ａ，４１Ｂ，４１Ｃを左右方向に細長いものにして、センタ役物１５の下端側部分に画像表示器１６の画面と遊技領域４ａとに臨むように配置して、遊技演出の際に高いインパクトを与えることができる。また、センタ役物本体１５ａのステージ１３ｃの上側に、ドラムカバー４６の部分円筒カバー部４６ａが前方へ張出すように配置されているため、この部分円筒カバー部４６ａ（回転ドラム４１Ａ，４１Ｂ，４１Ｃ）の下側スペースを、ステージ１３ｃを設けるために有効利用することができる。
【０１２８】
尚、前記実施例を部分的に次のように変更してもよい。
【０１２９】
（１）右回転ドラム４１Ｂ、右回転駆動機構４３Ｂ、右原点検出手段４４Ｂを省略してもよい。この場合、１対の回転ドラム４１Ａ，４１Ｃの一方の回転ドラム４１Ｃを回転駆動する回転駆動機構４３Ｃが、軸心ａと同心状に配設されて一方の回転ドラム４１Ｃに相対回転不可能に連結され且つ他方の回転ドラム４１Ａを貫通する駆動軸１２０と、駆動軸１２０のうち他方の回転ドラム４１Ａに対して一方の回転ドラム４１Ｃと反対側部分から駆動軸１２０に駆動力を入力する電動モータ１２３とを備えることになる。
【０１３０】
（２）左回転ドラム４１Ａ、左回転駆動機構４３Ａ、左原点検出手段４４Ａを省略してもよい。この場合、１対の回転ドラム４１Ｂ，４１Ｃの一方の回転ドラム４１Ｃの原点位置を検出する原点検出手段４４Ｃが、他方の回転ドラム４１Ｂに対して一方の回転ドラム４Ｃと反対側に配設されることになる。
【０１３１】
（３）左回転ドラム４１Ａにおいて、複数の分割周壁５０，５１，５３が正規の位置関係となるように組立てられた状態で、１対の環状端壁５５，５６の両方が、夫々、複数の分割周壁５０，５１，５３に対して正規の位置関係とならない状態で取付凹部５０ａ，５０ｂに嵌合不可能に構成されてもよい。
（４）左回転ドラム４１Ａのドラム周壁５０が、３本の稜線５０ｄ間に夫々位置する３つの平滑外面を有するものとしてもよい。つまり、ドラム周壁５０の各分割周壁５０，５１，５２を平板状に形成してもよい。
【０１３２】
（５）左回転ドラム４１Ａのドラム周壁５０が、４本以上の稜線５０ｄと、この複数の稜線５０ｄ間に夫々位置する４つ以上の湾曲外面又は平滑外面を有するものとしてもよい。つまり、ドラム周壁５０を４つ以上の分割周壁で構成し、各分割周壁を円筒状又は平板状に形成してもよい。
（６）左回転ドラム４１Ａの形状・サイズ（直径や左右長等）は適宜変更可能である。
（７）右回転ドラム４１Ｂ、中央回転ドラム４１Ｃについても、（３）（４）（５）（６）と同様に変更してもよい。
【０１３３】
その他、前記実施例に開示した事項以外に、本発明の趣旨を逸脱しない範囲において、種々の変更を付加してもよい。また、本発明については、前記実施例以外の種々のパチンコ遊技機のドラム装置に適用してもよいし、パチンコ遊技機以外のスロットマシン等の遊技機のドラム装置に適用してもよい。
【符号の説明】
【０１３４】
ａ  軸心
１  パチンコ遊技機
４  遊技盤
１５  センタ役物
１５ａ  センタ役物本体（枠部材）
１６  画像表示器
１７  ドラム装置
４０  ドラムケース
４１Ａ，４１Ｂ，４１Ｃ  回転ドラム
４２  回転支持機構
４３Ａ，４３Ｂ，４３Ｃ  回転駆動機構
４４Ａ，４４Ｂ，４４Ｃ  原点検出手段
４５  ベース部材
４６  ドラムカバー
４６ａ  部分円筒カバー部
５０，６０，７０  ドラム周壁
５０ａ，５０ｂ，６０ａ，６０ｂ，７０ａ，７０ｂ  取付凹部
５０ｃ  部分円筒面（湾曲外面）
５０ｄ  稜線
５０ｆ  位置決め穴
５１，５２，５３，６１，６２，６３，７１，７２，７３  分割周壁
５１ａ，５２ａ，５３ａ  内鍔部
５５，５６，６５，６６，７５，７６  環状端壁
５５ｄ，５６ｃ，７５ｄ  位置決めピン
５７，６７，７７  ＬＥＤ
５９  ビス
７５ｂ  ピン係合部（凹溝）
８０  支持ケース
８１，８２  分割支持ケース
８５，８６，８７，８８，８９，９０，９１  ベアリング部材
８１ａ，８２ａ  ケース本体
８１ｂ，８２ｂ  基板
１００，１１０，１２１  ギヤ部材
１０２，１１２，１２３  電動モータ
１２０  駆動軸
１２４  連結ピン（連結部材）
１３０，１４０，１５０  被検出部
１３１，１４１，１５１  遮蔽部材
１３５，１４５，１５５  原点検出センサ
１３５ａ  本体
１３５ｂ  発光部
１３５ｃ  受光部
１６０（１３６，１４６，１５６）  センサ取付部材
１６１  矩形ケース部
１６１ａ  壁部
１６１ｂ  第２の位置決め孔
１６２  取付片
１６２ａ  位置決め孔
１６２ｂ  ビス孔
【図１】
2011115193.tif 000003
【図２】
2011115193.tif 000004
【図３】
2011115193.tif 000005
【図４】
2011115193.tif 000006
【図５】
2011115193.tif 000007
【図６】
2011115193.tif 000008
【図７】
2011115193.tif 000009
【図８】
2011115193.tif 000010
【図９】
2011115193.tif 000011
【図１０】
2011115193.tif 000012
【図１１】
2011115193.tif 000013
【図１２】
2011115193.tif 000014
【図１３】
2011115193.tif 000015
【図１４】
2011115193.tif 000016
【図１５】
2011115193.tif 000017
【図１６】
2011115193.tif 000018
【図１７】
2011115193.tif 000019
【図１８】
2011115193.tif 000020
【図１９】
2011115193.tif 000021
【図２０】
2011115193.tif 000022
【図２１】
2011115193.tif 000023
【図２２】
2011115193.tif 000024
【図２３】
2011115193.tif 000025
【図２４】
2011115193.tif 000026
【図２５】
2011115193.tif 000027
【図２６】
2011115193.tif 000028
【図２７】
2011115193.tif 000029
【図２８】
2011115193.tif 000030
【図２９】
2011115193.tif 000031
【図３０】
2011115193.tif 000032
【図３１】
2011115193.tif 000033
【図３２】
2011115193.tif 000034
【図３３】
2011115193.tif 000035
【図３４】
2011115193.tif 000036
【図３５】
2011115193.tif 000037
【図３６】
2011115193.tif 000038
【図３７】
2011115193.tif 000039
【図３８】
2011115193.tif 000040